(57)【要約】【課題】受信ファクシミリを自動的に分類して処理することができ、かつ、特定の分類のファクシミリは利用者に確認させて処理を指定させることができる構造のファクシミリ装置を提供する。【解決手段】ファクシミリデータのファクシミリ分類が自動的に判定され、そのファクシミリ分類に組み合わされている処理形式でファクシミリデータが処理される。ただし、特定のファクシミリ分類が判定されると確認要求が報知され、この確認要求が報知されたファクシミリデータに対する処理形式が入力操作されると、その入力操作された処理形式でファクシミリデータが処理される。【選択図】図１
2008042605.tif 000002
【特許請求の範囲】
【請求項１】
受信されるファクシミリデータを少なくとも印刷する機能があるファクシミリ装置であって、
前記ファクシミリデータを受信するデータ受信部と、
前記ファクシミリデータを複数の処理形式で処理する機能があるデータ処理部と、
受信する前記ファクシミリデータを複数のファクシミリ分類の一つとして判定する分類判定部と、
複数の前記ファクシミリ分類の少なくとも一部と複数の前記処理形式の少なくとも一部との組み合わせを記憶している処理記憶部と、
判定された前記ファクシミリ分類に組み合わされている前記処理形式で前記データ処理部に前記ファクシミリデータを処理させる処理制御部と、
受信された前記ファクシミリデータが特定の前記ファクシミリ分類と判定されると確認要求を報知する確認報知部と、
前記確認要求が報知された前記ファクシミリデータに対する前記処理形式の入力操作を受け付ける入力操作部と、
を有し、
前記処理制御部は、入力操作された前記処理形式で前記データ処理部に前記ファクシミリデータを処理させるファクシミリ装置。
【請求項２】
受信されるファクシミリデータを少なくとも印刷する機能があるファクシミリ装置であって、
前記ファクシミリデータを受信するデータ受信部と、
前記ファクシミリデータを複数の処理形式で処理する機能があるデータ処理部と、
受信する前記ファクシミリデータを複数のファクシミリ分類の一つとして判定する分類判定部と、
複数の前記ファクシミリ分類の少なくとも一部と複数の前記処理形式の少なくとも一部との組み合わせを記憶している処理記憶部と、
判定された前記ファクシミリ分類に組み合わされている前記処理形式で前記データ処理部に前記ファクシミリデータを処理させる処理制御部と、
受信された前記ファクシミリデータの前記ファクシミリ分類が判定されないと確認要求を報知する確認報知部と、
前記確認要求が報知された前記ファクシミリデータの前記ファクシミリ分類の入力操作を受け付ける入力操作部と、
を有し、
前記処理制御部は、入力操作された前記ファクシミリ分類に組み合わされている前記処理形式で前記データ処理部に前記ファクシミリデータを処理させるファクシミリ装置。
【請求項３】
前記分類判定部は、前記ファクシミリデータから検出される所定の判定要素に基づいて前記ファクシミリ分類を判定し、
前記確認要求が報知された前記ファクシミリデータから前記ファクシミリ分類の判定に利用される判定要素を検出する要素検出部と、
検出された前記判定要素と入力操作された前記ファクシミリ分類との組み合わせを前記分類判定部に登録する要素登録部とを、
さらに有する請求項２に記載のファクシミリ装置。
【請求項４】
前記データ処理部は、前記ファクシミリデータを印刷するデータ印刷部と、前記ファクシミリデータを表示するデータ表示部と、前記ファクシミリデータを外部に転送するデータ転送部と、を有し、複数の前記処理形式として前記印刷と前記表示と前記転送とがある請求項１ないし３の何れか一項に記載のファクシミリ装置。
【請求項５】
前記入力操作部は、前記確認要求が報知された前記ファクシミリデータを一部のみ印刷する確認印刷の入力操作も受け付け、
前記処理制御部は、前記確認印刷が入力操作されると前記データ印刷部に前記ファクシミリデータを一部のみ印刷させる請求項４に記載のファクシミリ装置。
【請求項６】
前記入力操作部は、前記ファクシミリデータが一部のみ印刷された状態で残部を印刷する残部印刷の入力操作も受け付け、
前記処理制御部は、前記残部印刷が入力操作されると前記データ印刷部に前記ファクシミリデータの残部を印刷させる請求項５に記載のファクシミリ装置。
【請求項７】
前記入力操作部は、前記確認要求が報知された前記ファクシミリデータの少なくとも一部を前記データ表示部に表示させる確認表示の入力操作も受け付け、
前記処理制御部は、前記確認表示が入力操作されると前記データ表示部に前記ファクシミリデータの少なくとも一部を表示させる請求項４に記載のファクシミリ装置。
【請求項８】
前記入力操作部は、前記確認要求が報知された前記ファクシミリデータの少なくとも一部を前記データ転送部に転送させる確認転送の入力操作も受け付け、
前記処理制御部は、前記確認転送が入力操作されると前記データ転送部に前記ファクシミリデータの少なくとも一部を転送させる請求項４に記載のファクシミリ装置。
【請求項９】
前記分類判定部は、受信された前記ファクシミリデータのデータ容量を検出し、前記データ容量に基づいて前記ファクシミリ分類を判定する請求項１ないし８の何れか一項に記載のファクシミリ装置。
【請求項１０】
前記分類判定部により前記データ容量が所定の上限容量を超過していると判定されると前記確認報知部により前記確認要求が報知される請求項９に記載のファクシミリ装置。
【請求項１１】
前記分類判定部は、受信された複数の前記ファクシミリデータのデータ容量の統計結果から前記上限容量を生成する請求項１０に記載のファクシミリ装置。
【請求項１２】
前記分類判定部は、受信された複数の前記ファクシミリデータのデータ容量を蓄積して平均を算出し、前記平均のデータ容量に所定の係数を乗算して前記上限容量を設定する請求項１１に記載のファクシミリ装置。
【請求項１３】
前記データ受信部は、前記ファクシミリデータとして電子メールの添付ファイルを受信し、
前記分類判定部は、前記添付ファイルからなる前記ファクシミリデータのデータ形式を検出し、前記データ形式から前記ファクシミリ分類を判定する請求項１ないし９の何れか一項に記載のファクシミリ装置。
【請求項１４】
前記入力操作部は、前記ファクシミリ分類と前記処理形式との組み合わせの入力操作も受け付け、
前記処理記憶部は、入力操作される前記組み合わせを記憶する請求項１ないし１３の何れか一項に記載のファクシミリ装置。
【発明の詳細な説明】
【技術分野】
【０００１】
本発明は、受信されるファクシミリデータを少なくとも印刷する機能があるファクシミリ装置に関し、特に、ファクシミリデータを複数の処理形式で処理する機能があるファクシミリ装置に関する。
【背景技術】
【０００２】
現在、ファクシミリ装置では、ダイレクトメールなどの迷惑ファクシミリが問題となっている。迷惑ファクシミリは印刷用紙を無駄に消費することになる。そこで、これを防止するため、ファクシミリデータを送信元から迷惑ファクシミリか判定し、迷惑ファクシミリと判定されると印刷しないファクシミリ装置が提案されている(例えば、特許文献１，２参照)。
【特許文献１】特開平０５−３３６３３２号公報
【特許文献２】特開平０６−２９１８９２号公報
【発明の開示】
【発明が解決しようとする課題】
【０００３】
特許文献１，２のファクシミリ装置は、ファクシミリデータをメモリに一時記憶させてから印刷出力する機能はある。しかし、そのメモリ記憶は印刷出力するファクシミリデータの一時保存を前提としたものであり、メモリ記憶と印刷出力とを並列な処理形式とする構造ではない。
【０００４】
また、ファクシミリデータとしても、適正ファクシミリか迷惑ファクシミリかを判定するのみである。つまり、特許文献１，２のファクシミリ装置は、適正ファクシミリは印刷し、迷惑ファクシミリは印刷しない、との機能しかない。
【０００５】
しかし、ファクシミリデータとして、適正ファクシミリと迷惑ファクシミリ以外の分類が要求されることもある。また、ファクシミリデータの処理としても、印刷の有無以外が要求されることがある。
【０００６】
本発明は上述のような課題に鑑みてなされたものであり、受信ファクシミリを自動的に分類して処理することができ、かつ、特定の分類のファクシミリは利用者に確認させて処理を指定させることができるファクシミリ装置や、分類できないファクシミリを利用者に確認させて分類を指定させ、その分類に対応した処理をすることができるファクシミリ装置を、提供するものである。
【課題を解決するための手段】
【０００７】
本発明の第一のファクシミリ装置は、受信されるファクシミリデータを少なくとも印刷する機能があるファクシミリ装置であって、ファクシミリデータを受信するデータ受信部と、ファクシミリデータを複数の処理形式で処理する機能があるデータ処理部と、受信されるファクシミリデータを複数のファクシミリ分類の一つとして判定する分類判定部と、複数のファクシミリ分類の少なくとも一部と複数の処理形式の少なくとも一部との組み合わせを記憶している処理記憶部と、判定されたファクシミリ分類に組み合わされている処理形式でデータ処理部にファクシミリデータを処理させる処理制御部と、受信されたファクシミリデータが特定のファクシミリ分類と判定されると確認要求を報知する確認報知部と、確認要求が報知されたファクシミリデータに対する処理形式の入力操作を受け付ける入力操作部と、を有し、処理制御部は、入力操作された処理形式でデータ処理部にファクシミリデータを処理させる。
【０００８】
従って、本発明のファクシミリ装置では、ファクシミリデータのファクシミリ分類が自動的に判定され、そのファクシミリ分類に組み合わされている処理形式でファクシミリデータが処理される。ただし、特定のファクシミリ分類が判定されると確認要求が報知され、この確認要求が報知されたファクシミリデータに対する処理形式が入力操作されると、その入力操作された処理形式でファクシミリデータが処理される。このため、ファクシミリデータとして適正ファクシミリと迷惑ファクシミリ以外のファクシミリ分類も判定し、そのファクシミリデータをファクシミリ分類ごとに適正な処理形式で処理するようなことができる。それでいて、特定のファクシミリ分類が判定されるときは利用者に確認させ、利用者が処理形式を選択すると、その処理形式でファクシミリデータが処理される。
【０００９】
本発明の第二のファクシミリ装置は、受信されるファクシミリデータを少なくとも印刷する機能があるファクシミリ装置であって、ファクシミリデータを受信するデータ受信部と、ファクシミリデータを複数の処理形式で処理する機能があるデータ処理部と、受信されるファクシミリデータを複数のファクシミリ分類の一つとして判定する分類判定部と、複数のファクシミリ分類の少なくとも一部と複数の処理形式の少なくとも一部との組み合わせを記憶している処理記憶部と、判定されたファクシミリ分類に組み合わされている処理形式でデータ処理部にファクシミリデータを処理させる処理制御部と、受信されたファクシミリデータのファクシミリ分類が判定されないと確認要求を報知する確認報知部と、確認要求が報知されたファクシミリデータのファクシミリ分類の入力操作を受け付ける入力操作部と、を有し、処理制御部は、入力操作されたファクシミリ分類に組み合わされている処理形式でデータ処理部にファクシミリデータを処理させる。
【００１０】
従って、本発明のファクシミリ装置では、ファクシミリデータのファクシミリ分類が自動的に判定され、そのファクシミリ分類に組み合わされている処理形式でファクシミリデータが処理される。ただし、特定のファクシミリ分類が判定されると確認要求が報知され、この確認要求が報知されたファクシミリデータに対する処理形式が入力操作されると、その入力操作された処理形式でファクシミリデータが処理される。このため、ファクシミリデータとして適正ファクシミリと迷惑ファクシミリ以外のファクシミリ分類も判定し、そのファクシミリデータをファクシミリ分類ごとに適正な処理形式で処理するようなことができる。それでいて、特定のファクシミリ分類が判定されるときは利用者に確認させ、利用者がファクシミリ分類を判断すると、そのファクシミリ分類に対応した処理形式でファクシミリデータが処理される。
【００１１】
なお、本発明で云う各種の構成要素は、その機能を実現するように形成されていれば良く、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００１２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１３】
また、本発明で云う「データを記憶している」とは、本発明の装置が使用されるときに「データを記憶している」状態にあることを意味している。このため、本発明の装置が出荷されるときにはデータを記憶しておらず、使用される以前にデータを記憶している状態にセットアップされることを許容する。
【００１４】
一方、本発明で云う「データを記憶する」とは、新規のデータを記憶する機能があることの他、製造時にデータを記憶して出荷後には新規のデータを記憶しないことも許容する。
【発明の効果】
【００１５】
本発明のファクシミリ装置では、ファクシミリデータとして適正ファクシミリと迷惑ファクシミリ以外のファクシミリ分類も判定し、そのファクシミリデータをファクシミリ分類ごとに適正な処理形式で処理するようなことができ、特定のファクシミリ分類が判定されるときは利用者に確認させ、利用者の所望の処理形式で処理することや、ファクシミリ分類が判定されないときに利用者に確認させ、利用者が判断したファクシミリ分類に対応した処理形式で処理するようなことができる。
【発明を実施するための最良の形態】
【００１６】
本発明の実施の一形態を図面を参照して以下に説明する。本実施の形態のファクシミリ装置１００は、受信されるファクシミリデータを少なくとも印刷する機能がある。
【００１７】
さらに、本実施の形態のファクシミリ装置１００は、図１に示すように、ファクシミリデータを受信するデータ受信部１１０と、ファクシミリデータを複数の処理形式で処理する機能があるデータ処理部１２０と、受信するファクシミリデータを複数のファクシミリ分類の一つとして判定する分類判定部１３０と、複数のファクシミリ分類の少なくとも一部と複数の処理形式の少なくとも一部との組み合わせを記憶している処理記憶部１４０と、判定されたファクシミリ分類に組み合わされている処理形式でデータ処理部１２０にファクシミリデータを処理させる処理制御部１５０と、受信されたファクシミリデータが特定のファクシミリ分類と判定されると確認要求を報知する確認報知部１６０と、確認要求が報知されたファクシミリデータに対する処理形式の入力操作を受け付ける入力操作部１７０と、を有し、処理制御部１５０は、入力操作された処理形式でデータ処理部１２０にファクシミリデータを処理させる。
【００１８】
なお、データ処理部１２０は、ファクシミリデータを印刷するデータ印刷部１２１と、ファクシミリデータを表示するデータ表示部１２２と、ファクシミリデータを外部に転送するデータ転送部１２３と、を有し、複数の処理形式として印刷と表示と転送とがある。
【００１９】
入力操作部１７０は、確認要求が報知されたファクシミリデータを一部のみ印刷する確認印刷の入力操作も受け付け、処理制御部１５０は、確認印刷が入力操作されるとデータ印刷部１２１にファクシミリデータを一部のみ印刷させる。
【００２０】
入力操作部１７０は、ファクシミリデータが一部のみ印刷された状態で残部を印刷する残部印刷の入力操作も受け付け、処理制御部１５０は、残部印刷が入力操作されるとデータ印刷部１２１にファクシミリデータの残部を印刷させる。
【００２１】
入力操作部１７０は、確認要求が報知されたファクシミリデータの少なくとも一部をデータ表示部１２２に表示させる確認表示の入力操作も受け付け、処理制御部１５０は、確認表示が入力操作されるとデータ表示部１２２にファクシミリデータの少なくとも一部を表示させる。
【００２２】
入力操作部１７０は、確認要求が報知されたファクシミリデータの少なくとも一部をデータ転送部１２３に転送させる確認転送の入力操作も受け付ける。処理制御部１５０は、確認転送が入力操作されるとデータ転送部１２３にファクシミリデータの少なくとも一部を転送させる。
【００２３】
入力操作部１７０は、ファクシミリ分類と処理形式との組み合わせの入力操作も受け付ける。処理記憶部１４０は、入力操作されるファクシミリ分類と処理形式との組み合わせを記憶する。
【００２４】
なお、本実施の形態のファクシミリ装置１００は、いわゆるＭＦＰ(Multi Function Peripherals)であり、ハードウェアとしては従来の既存製品と同様な構造からなる。つまり、データ受信部１１０は、例えば、電話回線を利用してファクシミリデータを受信するモデムやバッファ等からなる。
【００２５】
データ印刷部１２１は、レーザプリンタなどのプリンタユニット等からなる。データ表示部１２２は、操作パネルのディスプレイパネル等からなる。データ転送部１２３は、ＬＡＮ(Local Area Network)で外部のパーソナルコンピュータと通信するＩ／Ｆ(Interface)ユニット等からなる。
【００２６】
分類判定部１３０および処理制御部１５０は、例えば、ＣＰＵ(Central Processing Unit)、ＲＯＭ(Read Only Memory)、ＲＡＭ(Random Access Memory)、等からなるコンピュータユニットに、コンピュータプログラムで実現された機能などに相当する。
【００２７】
分類判定部１３０は、ファクシミリデータから検出される所定の判定要素に基づいてファクシミリ分類を判定する。処理記憶部１４０は、例えば、コンピュータユニットに接続されているフラッシュメモリの記憶エリアからなる。
【００２８】
確認報知部１６０は、例えば、コンピュータユニットが操作パネルのディスプレイパネルやスピーカユニットに所定情報を出力させる機能に相当する。入力操作部１７０は、操作パネルのキーボードユニット等からなる。
【００２９】
上述のような構成において、本実施の形態のファクシミリ装置１００の動作を、各部１１０〜１７０の機能とともに以下に具体的に説明する。本実施の形態のファクシミリ装置１００は、受信されたファクシミリデータに対する複数の処理形式として、全部印刷、完全消去、確認印刷、残部印刷、確認表示、確認転送、がある。
【００３０】
全部印刷は、受信されたファクシミリデータの全部が印刷される。完全消去は、受信されたファクシミリデータが消去される。完全消去は処理制御部１５０の処理動作として実現される。
【００３１】
確認印刷は、例えば、受信されたファクシミリデータの先頭ページのみが印刷される。残部印刷は、受信されたファクシミリデータの確認印刷で印刷されなかった残部が印刷される。
【００３２】
確認表示は、例えば、受信されたファクシミリデータの先頭ページが操作パネルのディスプレイパネルに簡易表示される。この簡易表示は、例えば、ファクシミリデータの先頭ページの全体イメージを、ディスプレイパネルの所定範囲に対応する解像度で表示させることとして実行される。
【００３３】
確認転送は、例えば、受信されたファクシミリデータが事前に設定されている外部のパーソナルコンピュータにＬＡＮで転送される。これは処理制御部１５０がデータ転送部１２３を動作制御することにより実現される。
【００３４】
さらに、本実施の形態のファクシミリ装置１００では、ファクシミリ分類として適正ファクシミリと迷惑ファクシミリと不明ファクシミリとがデフォルト設定されている。そして、分類判定部１３０は、全部のファクシミリデータを適正ファクシミリとして判定するように初期設定されている。また、処理記憶部１４０には、ファクシミリ分類と処理形式との組み合わせとして、適正ファクシミリと全部印刷との組み合わせのみデフォルト設定されている。
【００３５】
そこで、本実施の形態のファクシミリ装置１００では、利用者が入力操作部１７０を手動操作することにより、新規のファクシミリ分類を登録することもできる。さらに、分類判定部１３０でファクシミリデータから検出されてファクシミリ分類の判定に利用される、判定要素を登録することもできる。
【００３６】
このような判定要素は、利用者の所望により、例えば、送信元の特定のファクシミリ番号、送信元のファクシミリ番号が非通知設定であること、送信元のファクシミリ番号が国内番号でないこと、ファクシミリデータの容量が所定の上限容量を超過していること、等として設定される。
【００３７】
このような判定要素に基づいた判定処理では、例えば、特定の送信元ならば適正ファクシミリ、特定の送信元または非通知設定は迷惑ファクシミリ、適正ファクシミリでもなく迷惑ファクシミリでもないと不明ファクシミリ、などとして判定される。
【００３８】
そして、本実施の形態のファクシミリ装置１００では、図２に示すように、利用者の所望により、ファクシミリ分類と処理形式との組み合わせも登録することができる(ステップＳ１，Ｓ２)。
【００３９】
この組み合わせは、利用者の所望により、例えば、適正ファクシミリは全部印刷、迷惑ファクシミリは完全消去、不明ファクシミリは確認印刷、等として設定される。なお、この組み合わせは一対一である必要はなく、例えば、不明ファクシミリは確認印刷とともに確認転送、迷惑ファクシミリは確認転送のみ、などと設定することもできる。
【００４０】
本実施の形態のファクシミリ装置１００は、上述のように利用者の所望によりファクシミリ分類と処理形式との組み合わせが登録された状態で、ファクシミリデータを受信すると、そのファクシミリ分類が自動的に判定され、対応する処理形式で自動処理される。
【００４１】
ただし、本実施の形態のファクシミリ装置１００では、利用者の所望により、ファクシミリデータを自動処理することなく確認要求を報知することを、所定のファクシミリ分類に設定することもできる。
【００４２】
例えば、小容量の迷惑ファクシミリは自動的に確認転送、小容量の不明ファクシミリは自動的に確認印刷、大容量の迷惑ファクシミリおよび大容量の不明ファクシミリは自動処理することなく確認要求を報知、などと設定される。なお、このように確認要求を報知する特定のファクシミリ分類として、判定不能を設定することもできる。
【００４３】
より具体的には、ファクシミリデータが受信されると(ステップＳ３)、そのファクシミリ分類が判定される(ステップＳ４)。このファクシミリ分類の判定は、利用者が所望により登録した判定要素により実行される。
【００４４】
すると、その判定されたファクシミリ分類に、確認要求の報知が設定されているかが判断される(ステップＳ５)。確認要求の報知が設定されていないと、自動実行する処理形式が読み出され(ステップＳ６)、実行される(ステップＳ７〜Ｓ１２)。
【００４５】
処理形式が確認印刷の場合(ステップＳ７)、ファクシミリデータの先頭ページなどの一部が印刷される(ステップＳ１３)。確認表示の場合(ステップＳ８)、ファクシミリデータがディスプレイパネルに簡易表示される(ステップＳ２１)。
【００４６】
確認転送の場合(ステップＳ９)、例えば、ファクシミリデータが事前に登録されたアドレスで外部のパーソナルコンピュータに転送される(ステップＳ２２)。完全消去の場合(ステップＳ１０)、ファクシミリデータが完全に消去される(ステップＳ１２)。
【００４７】
処理形式が上記でない場合、デフォルト設定である完全印刷が実行される(ステップＳ１１)。なお、完全印刷が実行されたファクシミリデータは自動的に完全消去される(ステップＳ１２)。
【００４８】
なお、確認印刷によりファクシミリデータの一部が印刷されると(ステップＳ７，Ｓ１３)、そのファクシミリデータに対する処理の入力に待機する状態となる(ステップＳ１４〜Ｓ１６)。
【００４９】
このとき、例えば、ディスプレイユニットに「××月××日××時××分の受信ファクシミリを先頭ページのみ確認印刷しました。以後のページも印刷するときは"０"を、消去するときは"１"を、入力してください。」などのガイダンスメッセージが表示される。
【００５０】
そこで、これを確認した利用者により残部印刷が入力されると(ステップＳ１５)、ファクシミリデータの残部が印刷され(ステップＳ１７)、印刷されたファクシミリデータは完全消去される(ステップＳ１２)。一方、完全消去が入力されると(ステップＳ１４)、そのファクシミリデータは印刷されることなく完全消去される(ステップＳ１２)。
【００５１】
また、一部印刷から処理形式が入力操作されることなく所定期間が経過すると(ステップＳ１６)、自動的にファクシミリデータは残部が印刷されてから完全消去される(ステップＳ１７，Ｓ１２)。なお、この自動処理に移行する期間は、例えば、利用者の所望により数時間や数日などとして設定される。
【００５２】
また、ファクシミリデータが確認表示されたときと(ステップＳ８，Ｓ２１)、確認転送されたときにも(ステップＳ９，Ｓ２２)、そのファクシミリデータに対する処理の入力に待機する状態となる(ステップＳ２３〜Ｓ２５)。
【００５３】
この場合は、例えば、ディスプレイユニットに「××月××日××時××分の受信ファクシミリを印刷するときは"０"を、消去するときは"１"を、入力してください。」などのガイダンスメッセージが表示される。
【００５４】
そこで、これを確認した利用者により全部印刷が入力されると(ステップＳ２３)、ファクシミリデータの全部が印刷されてから消去される(ステップＳ１１，Ｓ１２)。一方、完全消去が入力されると(ステップＳ２４)、そのファクシミリデータは印刷されることなく完全消去される(ステップＳ１２)。
【００５５】
また、処理形式が入力操作されることなく所定期間が経過すると(ステップＳ２５)、自動的にファクシミリデータは全部が印刷されてから消去される(ステップＳ１１，Ｓ１２)。
【００５６】
一方、判定されたファクシミリ分類に、確認要求の報知が設定されていると(ステップＳ５)、上述のようなファクシミリデータの自動処理(ステップＳ７〜Ｓ１２)は実行されず、確認要求が報知される(ステップＳ１８)。
【００５７】
その場合、例えば、「判定不明のファクシミリを受信しました。先頭ページのみ印刷する場合は"１"を、先頭ページをディスプレイ表示する場合は"２"を、登録アドレスに転送する場合は"３"を、全ページを印刷する場合は"４"を、消去する場合は"５"を、入力してください。」などのガイダンスメッセージが、ディスプレイユニットに表示出力されるとともにスピーカユニットにより音声出力される。
【００５８】
この確認要求の報知出力は、所定時間が経過するまで繰り返し実行される(ステップＳ１８〜Ｓ２０)。そこで、これを確認した利用者により処理形式が入力されると(ステップＳ１９)、その処理形式で自動実行の場合と同様にファクシミリデータの処理が実行される(ステップＳ７〜Ｓ１２)。
【００５９】
なお、処理形式が入力操作されることなく所定期間が経過すると(ステップＳ２０)、自動的にファクシミリデータは全部が印刷されてから消去される(ステップＳ１１，Ｓ１２)。
【００６０】
本実施の形態のファクシミリ装置１００では、上述のようにファクシミリデータのファクシミリ分類が自動的に判定され、そのファクシミリ分類に組み合わされている処理形式でファクシミリデータが処理される。
【００６１】
ただし、特定のファクシミリ分類が判定されると確認要求が報知され、この確認要求が報知されたファクシミリデータに対する処理形式が入力操作されると、その入力操作された処理形式でファクシミリデータが処理される。
【００６２】
このため、ファクシミリデータとして適正ファクシミリと迷惑ファクシミリ以外のファクシミリ分類も判定し、そのファクシミリデータをファクシミリ分類ごとに適正な処理形式で処理するようなことができる。それでいて、特定のファクシミリ分類が判定されるときは利用者に確認させ、利用者が処理形式を選択すると、その処理形式でファクシミリデータを処理することができる。
【００６３】
しかも、確認要求は表示と音声の両方で所定時間まで繰り返し報知される。このため、ファクシミリデータの確認要求を利用者に確実に認識させることができる。さらに、特に、確認要求が報知されても処理形式が所定時間まで入力されないと、そのファクシミリデータは自動的に全部印刷されてから消去される。
【００６４】
このため、判定不能のファクシミリデータが確認できない状態となるようなことを防止できる。それでいて、無用のファクシミリデータの保存により記憶デバイスの容量が無駄に消費されつづけることがない。
【００６５】
また、確認要求が報知されたファクシミリデータを利用者の所望により一部のみ確認印刷することができる。このため、印刷用紙の消費を必要最小限としてファクシミリデータを確実に確認することもできる。
【００６６】
しかも、一部のみ確認印刷したファクシミリデータの残部を利用者の所望により印刷することもできる。このため、内容を確認できたファクシミリデータの全部を過不足なく印刷することができる。
【００６７】
また、確認要求が報知されたファクシミリデータを利用者の所望によりデータ表示部１２２に表示させることもできる。このため、印刷用紙を消費することなくファクシミリデータを確認することもできる。
【００６８】
さらに、確認要求が報知されたファクシミリデータを利用者の所望により外部のパーソナルコンピュータなどに転送することもできる。このため、印刷用紙を消費することなくファクシミリデータを詳細に検討することもできる。
【００６９】
しかも、受信されたファクシミリデータのデータ容量を検出し、そのデータ容量に基づいてファクシミリ分類を判定することもできる。ファクシミリデータのデータ容量が所定の上限容量を超過していると確認要求が報知される。
【００７０】
このため、大容量の迷惑ファクシミリにより多量の印刷用紙が消費されることを有効に防止することができる。このような上限容量は、ファクシミリ装置にデフォルト設定しておくことや、利用者の所望により設定しておくことができる。
【００７１】
なお、本発明は本実施の形態に限定されるものではなく、その要旨を逸脱しない範囲で各種の変形を許容する。例えば、上記形態では受信されたファクシミリデータが特定のファクシミリ分類と判定されると確認要求が報知され、その確認要求が報知されたファクシミリデータに対する処理形式が入力操作されると、その処理形式でファクシミリデータが処理されることを例示した。
【００７２】
しかし、ファクシミリ分類を判定できないときに確認要求が報知され、その確認要求が報知されたファクシミリデータに対してファクシミリ分類の入力操作を受け付け、その入力操作されたファクシミリ分類に組み合わされている処理形式でファクシミリデータを処理してもよい。
【００７３】
この場合、ファクシミリ分類を判定できないファクシミリデータを利用者に確認させることができ、そのファクシミリ分類に組み合わされている処理形式でファクシミリデータを処理することができる。
【００７４】
さらに、上述のように判定不能のファクシミリ分類が利用者により入力されたときに、ファクシミリデータから判定要素を検出してファクシミリ分類との組み合わせを自動的に登録してもよい。
【００７５】
この場合、同一の判定要素があるファクシミリデータのファクシミリ分類を次回から自動的に判定できるようになり、ファクシミリ分類の判定精度を自動的に向上させることができる。
【００７６】
また、上記形態では確認要求を報知する条件の一つとしてファクシミリデータの上限容量を設定することができ、その上限容量はデフォルト設定やユーザ設定にできることを例示した。
【００７７】
しかし、受信された複数のファクシミリデータのデータ容量の統計結果から上限容量を自動生成してもよい。このようなファクシミリ装置では、その利用者の利用形態に対応して適切な上限容量を自動的に設定することができる。
【００７８】
このような統計処理は、例えば、直近の百件のファクシミリデータのデータ容量を蓄積して平均を算出し、平均のデータ容量に所定の係数を乗算して上限容量を設定する、等とすることができる。
【００７９】
さらに、上記形態ではファクシミリ装置１００として通常の電話回線を利用してファクシミリ通信するものを想定したが、いわゆるインターネットファクシミリを実行してもよい。
【００８０】
インターネットファクシミリでは、ファクシミリデータは電子メールの添付ファイルとして送受することができる。そこで、このようなファクシミリ装置では、添付ファイルからなるファクシミリデータのデータ形式を検出し、データ形式からファクシミリ分類を判定してもよい。
【００８１】
例えば、添付ファイルからなるファクシミリデータがＰＤＦ(Portable Document Format)形式ならば適正ファクシミリとして全部印刷するが、それ以外のデータ形式ならば迷惑ファクシミリや不明ファクシミリとして確認要求を報知する、等とすることができる。
【００８２】
さらに、添付ファイルからなるファクシミリデータの場合、そのデータ容量を簡単かつ確実に検出することができる。このため、前述のようにデータ容量に基づいてファクシミリデータを判定することも、より簡単かつ確実とすることができる。
【００８３】
また、上記形態では確認要求を報知してから所定時間が経過しても処理形式が入力されない場合などに、ファクシミリデータを全部印刷してから完全消去することを例示した。しかし、上述のような場合に、ファクシミリデータを印刷することなく完全消去してもよく、一部印刷や外部転送してから完全消去してもよい。
【００８４】
さらに、上記形態ではファクシミリ装置１００により確認要求が表示出力と音声出力との両方で実行されることを例示したが、これが一方のみで実行されてもよい(図示せず)。
【００８５】
また、上述のようにファクシミリ装置１００が電子メールを通信できる場合、そのファクシミリ装置１００が、確認要求を事前に登録されているアドレスへの電子メールの送信で報知してもよい。
【図面の簡単な説明】
【００８６】
【図１】本発明の実施の形態のファクシミリ装置の論理構造を示す模式的なブロック図である。
【図２】ファクシミリ装置の処理動作を示すフローチャートである。
【符号の説明】
【００８７】
１００    ファクシミリ装置
１１０    データ受信部
１２０    データ処理部
１２１    データ印刷部
１２２    データ表示部
１２３    データ転送部
１３０    分類判定部
１４０    処理記憶部
１５０    処理制御部
１６０    確認報知部
１７０    入力操作部
【図１】
2008042605.tif 000003
【図２】
2008042605.tif 000004